(57)【要約】      （修正有）【課題】所望する表示内容の加工作業が簡単且つ容易に行え、加工作業の能率アップを図ることができる発光表示装置の表示内容加工方法を提供する。【解決手段】導光板３の表示面３ａに、蝶模様の表示内容Ａと対応する大きさ及び形状に形成された１枚のトムソン刃７を食い込ませて、線状の溝部３ｂで描かれた蝶模様の表示内容Ａを加工する。発光表示装置１の基台２に差し込み固定された導光板３の一側端面に対して、基台に内蔵された各ＬＥＤ素子から投光される光を照射する。導光板３の一側端面から該導光板３の内部に入射された各ＬＥＤ素子の光を、導光板３の表示面３ａに形成された線状の溝部３ｂからなる表示内容に照射して拡散させ、導光板３の表示面３ａから外部に向けて各ＬＥＤ素子の光を出射するものである。【選択図】図４
2009056521.tif 000002
【特許請求の範囲】
【請求項１】
透光性を有する導光板の一側端面に対して光源から投光される光を照射し、該一側端面から導光板の内部に入射された光源の光を、該導光板の表示面に形成された表示内容に照射して拡散させ、該導光板の表示面から外部に向けて光源の光を出射する発光表示装置の表示内容加工方法において、
前記導光板の表示面に、該導光板の表示面に描かれる表示内容の輪郭線に沿ってトムソン刃を食い込ませて、該トムソン刃を食い込ませた際に形成される線状の溝部からなる表示内容を加工することを特徴とする
発光表示装置の表示内容加工方法。
【請求項２】
前記導光板の表示面に、前記表示内容の輪郭線と対応する大きさ及び形状に形成された１枚のトムソン刃を食い込ませて、該トムソン刃を食い込ませた際に形成される線状の溝部からなる前記表示内容を加工することを特徴とする
請求項１に記載の発光表示装置の表示内容加工方法。
【請求項３】
前記導光板の表示面に、前記表示内容の輪郭線を複数に分割してなる各部と対応する大きさ及び形状に形成された各トムソン刃を、該導光板の表示面に描かれる表示内容の輪郭線に沿って各部と対応する位置に同時に食い込ませて、
前記各トムソン刃を食い込ませた際に形成される複数本の各溝部を、前記導光板の表示面に沿って連なる状態に配列して、該各溝部からなる前記表示内容を加工することを特徴とする
請求項１に記載の発光表示装置の表示内容加工方法。
【請求項４】
前記導光板の表示面に、前記表示内容の輪郭線の複数に分割してなる各部と対応する大きさ及び形状に形成された複数枚の各トムソン刃を、該導光板の表示面に描かれる表示内容の輪郭線に沿って各部と対応する位置に順に食い込ませて、
前記各トムソン刃を食い込ませた際に形成される複数本の各溝部を、前記導光板の表示面に沿って連なる状態に配列して、該各溝部からなる前記表示内容を加工することを特徴とする
請求項１に記載の発光表示装置の表示内容加工方法。
【請求項５】
前記トムソン刃の刃先に、前記導光板の表示面に対して深い溝部を形成するための第１刃部と、該表示面に対して浅い溝部を形成するための第２刃部とを刃先に沿って複数組み合わせて形成し、
前記導光板の表示面に、前記トムソン刃の第１刃部と第２刃部とを複数組み合わせて該導光板の表示面に描かれる表示内容の輪郭線に沿って食い込ませるとともに、
該第１刃部を食い込ませた際に形成される深い溝部と、第２刃部を食い込ませた際に形成される浅い溝部とを、前記導光板の表示面に沿って連なる状態に配列して、該深い溝部と浅い溝部とからなる前記表示内容を加工することを特徴とする
請求項１又は２に記載の発光表示装置の表示内容加工方法。
【請求項６】
前記トムソン刃を、前記導光板の表示面に対して深い溝部を形成するための第１のトムソン刃と、該表示面に対して浅い溝部を形成するための第２のトムソン刃とで構成し、
前記導光板の表示面に、前記トムソン刃の第１のトムソン刃と第２のトムソン刃とを複数組み合わせて前記導光板の表示面に描かれる表示内容の輪郭線に沿って食い込ませるとともに、
該各トムソン刃を食い込ませた際に形成される深い溝部と浅い溝部とを、前記導光板の表示面に沿って連なる状態に配列して、該深い溝部と浅い溝部とからなる前記表示内容を加工することを特徴とする
請求項１〜３のいずれか一つに記載の発光表示装置の表示内容加工方法。
【発明の詳細な説明】
【技術分野】
【０００１】
この発明は、例えば店名、社名、広告、宣伝、案内、工事等に関する表示内容を光学的に表示する際に用いられる発光表示装置の表示内容加工方法に関する。
【背景技術】
【０００２】
従来、前記表示内容を加工する方法としては、例えば可視光を透過する板材の表面に、先端に行く程鋭くなる円錐形状の加工刃を使って画像或いは文字等を点刻加工する方法が開示された特許文献１の透明ディスプレイと、また、面状発光体導光板部材の表面に、微細に振動する切削バイトを使ってＶ字溝の紋様パターンを加工する方法が開示された特許文献２の面状発光体の精密加工とその製造方法とがある。
【特許文献１】特開２００１−３１２２３３号公報
【特許文献２】特開２００７−４２５６２号公報
【発明の開示】
【発明が解決しようとする課題】
【０００３】
しかし、前記特許文献１に開示の方法は、加工刃を所望する加工位置に移動させて、板材板の表面に画像或いは文字等を点刻加工する。また、特許文献２に開示の方法は、切削バイトを所望する加工位置へ移動させて、面状発光体導光板部材の表面にＶ字溝の紋様パターンを加工するので、画像或いは文字、紋様パターン等の表示内容が複雑化するほど、その表示内容を加工する作業に手間及び時間が掛かる。また、加工時において、例えばバリ、切屑、切削粉等の廃棄物が発生しやすく、表示内容を綺麗に加工することができない。また、廃棄物の処理に要する費用が掛かるため、加工コストが高くなる。
【０００４】
この発明は前記問題に鑑み、所望する表示内容の加工作業が簡単且つ容易に行え、表示内容の加工に要する時間を短縮して、加工作業の能率アップを図ることができる発光表示装置の表示内容加工方法の提供を目的とする。
【課題を解決するための手段】
【０００５】
請求項１に記載した発明の発光表示装置の表示内容加工方法は、透光性を有する導光板の一側端面に対して光源から投光される光を照射し、該一側端面から導光板の内部に入射された光源の光を、該導光板の表示面に形成された表示内容に照射して拡散させ、該導光板の表示面から外部に向けて光源の光を出射する発光表示装置の表示内容加工方法において、前記導光板の表示面に、前記表示内容の輪郭線に沿ってトムソン刃を食い込ませて、該トムソン刃を食い込ませた際に形成される線状の溝部からなる表示内容を加工することを特徴とする。
【０００６】
この発明によると、導光板の表示面に、表示内容と対応する大きさ及び形状に形成されたトムソン刃を食い込ませて、トムソン刃を食い込ませた際に形成される線状の溝部からなる表示内容を加工する。これにより、導光板の一側端面から入射された光源の光を、導光板の表示面に加工された表示内容の溝部によって拡散し、導光板の表示面から外部に向けて出射するので、導光板の表示面に加工された線状の表示内容を発光表示することができる。
【０００７】
前記導光板は、例えばプラスチック、ガラス等の透光性を有する材質で構成することができる。なお、光源から投光される光を透過し得る程度に透明であれば、導光板を所望する色に着色された半透明のもので構成してもよい。また、表示内容は、例えばひらがな、カタカナ、漢字、英字、数字等の文字、或いは、模様、図柄、図形、絵等の単一の表示内容で構成するか、複数の表示内容を組み合わせたもので構成することができる。また、光源は、例えばＬＥＤ素子、ＥＬ素子、光電管、電球、ランプ等で構成することができる。また、溝部は、例えばＶ字状、Ｕ字状、半円形状等の断面形状を有する溝で構成することができる。
【０００８】
請求項２に記載した発明の発光表示装置の表示内容加工方法は、前記請求項１に記載の構成と併せて、前記導光板の表示面に、前記表示内容の輪郭線と対応する大きさ及び形状に形成された１枚のトムソン刃を食い込ませて、該トムソン刃を食い込ませた際に形成される線状の溝部からなる前記表示内容を加工することを特徴とする。
【０００９】
この発明によると、導光板の表示面に、表示内容全体の輪郭線と対応する大きさ及び形状に形成された１枚のトムソン刃を食い込ませて、トムソン刃を食い込ませた際に形成される線状の溝部からなる表示内容を１回の加工作業で加工する。
【００１０】
請求項３に記載した発明の発光表示装置の表示内容加工方法は、前記請求項１に記載の構成と併せて、前記導光板の表示面に、前記表示内容の輪郭線を複数に分割してなる各部と対応する大きさ及び形状に形成された各トムソン刃を、該導光板の表示面に描かれる表示内容の輪郭線に沿って各部と対応する位置に同時に食い込ませて、前記各トムソン刃を食い込ませた際に形成される複数本の各溝部を、前記導光板の表示面に沿って連なる状態に配列して、該各溝部からなる前記表示内容を加工することを特徴とする。
【００１１】
この発明によると、導光板の表示面に、表示内容の輪郭線を複数に分割してなる各部と対応する複数枚の各トムソン刃を、導光板の表示面に描かれる表示内容の輪郭線に沿って、該輪郭線を複数に分割してなる各部と対応する位置に同時に食い込ませる。各トムソン刃を食い込ませた際に形成される複数本の各溝部を、導光板の表示面に沿って連なる状態に配列することにより、表示内容を加工する。
【００１２】
請求項４に記載した発明の発光表示装置の表示内容加工方法は、前記請求項１に記載の構成と併せて、前記導光板の表示面に、前記表示内容の輪郭線の複数に分割してなる各部と対応する大きさ及び形状に形成された複数枚の各トムソン刃を、該導光板の表示面に描かれる表示内容の輪郭線に沿って各部と対応する位置に順に食い込ませて、前記各トムソン刃を食い込ませた際に形成される複数本の各溝部を、前記導光板の表示面に沿って連なる状態に配列して、該各溝部からなる前記表示内容を加工することを特徴とする。
【００１３】
この発明によると、導光板の表示面に、表示内容の輪郭線を複数分割してなる各部と対応する複数枚の各トムソン刃を、導光板の表示面に描かれる表示内容の輪郭線に沿って順に食い込ませる。各トムソン刃を食い込ませた際に形成される複数本の各溝部を、導光板の表示面に沿って連なる状態に配列することにより、表示内容を加工する。なお、各トムソン刃は、例えば表示内容全体の輪郭線を１／３、１／４、１／５等の複数に分割してなる刃物で構成することができる。
【００１４】
請求項５に記載した発明の発光表示装置の表示内容加工方法は、前記請求項１又は２に記載の構成と併せて、前記トムソン刃の刃先に、前記導光板の表示面に対して深い溝部を形成するための第１刃部と、該表示面に対して浅い溝部を形成するための第２刃部とを刃先に沿って複数組み合わせて形成し、前記導光板の表示面に、前記トムソン刃の第１刃部と第２刃部とを複数組み合わせて該導光板の表示面に描かれる表示内容の輪郭線に沿って食い込ませるとともに、該第１刃部を食い込ませた際に形成される深い溝部と、第２刃部を食い込ませた際に形成される浅い溝部とを、前記導光板の表示面に沿って連なる状態に配列して、該深い溝部と浅い溝部とからなる前記表示内容を加工することを特徴とする。
【００１５】
この発明によると、導光板の表示面に、第１刃部と第２刃部との複数が組み合わせて形成された１枚のトムソン刃を食い込ませて、第１刃部により形成される深い溝部と、第２刃部により形成される浅い溝部とを、導光板の表示面に沿って連なる状態に複数組み合わせて配列することにより、所望する表示内容を加工する。つまり、表示内容の溝部が深い場合、表面積が大きく、光の拡散量が多くなるので、浅い溝部よりも明るく輝いて見える。また、表示内容の溝部が浅い場合、表面積が小さく、光の拡散量が少なくなるので、深い溝部よりも輝度が低く、暗く見える。すなわち、表示内容を、深い溝部と浅い溝部との複数を組み合わせて構成することにより、表示内容に輝度が明るい部分と、輝度が暗い部分とが発生し、表示内容を輝度差により発光表示することができる。
【００１６】
請求項６に記載した発明の発光表示装置の表示内容加工方法は、前記請求項１〜３のいずれか一つに記載の構成と併せて、前記トムソン刃を、前記導光板の表示面に対して深い溝部を形成するための第１のトムソン刃と、該表示面に対して浅い溝部を形成するための第２のトムソン刃とで構成し、前記導光板の表示面に、前記トムソン刃の第１のトムソン刃と第２のトムソン刃とを複数組み合わせて前記導光板の表示面に描かれる表示内容の輪郭線に沿って食い込ませるとともに、該各トムソン刃を食い込ませた際に形成される深い溝部と浅い溝部とを、前記導光板の表示面に沿って連なる状態に配列して、該深い溝部と浅い溝部とからなる前記表示内容を加工することを特徴とする。
【００１７】
この発明によると、導光板の表示面に、トムソン刃を構成する第１のトムソン刃と第２のトムソン刃とを複数組み合わせて食い込ませる。第１のトムソン刃により形成される深い溝部と、第２のトムソン刃により形成される浅い溝部とを、導光板の表示面に沿って連なる状態に複数組み合わせて配列することにより、所望する表示内容を加工する。すなわち、表示内容を、深い溝部と浅い溝部との複数を組み合わせて構成することにより、表示内容に輝度が明るい部分と、輝度が暗い部分とが発生し、表示内容を輝度差により発光表示することができる。
【発明の効果】
【００１８】
この発明によれば、透光性を有する導光板の表示面に、表示内容の輪郭線と対応する大きさ及び形状に形成されたトムソン刃を食い込ませて、トムソン刃を食い込ませた際に形成される線状の溝部により所望する表示内容を加工するので、トムソン刃を所望する加工位置へ移動させる必要がなく、所望する表示内容の加工作業が簡単且つ容易に行える。また、表示内容を加工する際に要する作業時間が短くて済み、加工作業の能率アップを図ることができる。また、加工時において、例えばバリ、切屑、切削粉等の廃棄物が発生しないので、表示内容を綺麗に加工することができる。また、廃棄物の処理に要する費用負担が不要であるので、加工コストの低減を図ることができる。
【発明を実施するための最良の形態】
【００１９】
この発明は、所望する表示内容の加工作業が簡単且つ容易に行え、表示内容の加工に要する時間を短縮して、加工作業の能率アップを図ることができるという目的を、導光板の表示面に、表示内容の輪郭線に沿ってトムソン刃を食い込ませて、該トムソン刃を食い込ませた際に形成される線状の溝部で描かれた表示内容を加工することで達成した。
【実施例】
【００２０】
この発明の一実施例を以下図面に基づいて詳述する。
【００２１】
図面は、透光性を有する導光板の表示面に、表示内容の一例である蝶模様を加工する際に用いられる発光表示装置の表示内容加工方法を示している。図１、図２に示すように、この発光表示装置１は、光源の一例である各ＬＥＤ素子４…が内蔵された基台２と、本発明の第１の加工方法により蝶模様の表示内容Ａが加工された透光性を有する導光板３とで構成される。つまり、基台２に差し込み固定された導光板３の一側端面に対して、基台２に内蔵された各ＬＥＤ素子４…から投光される光を照射する。導光板３の一側端面から該導光板３の内部に入射された各ＬＥＤ素子４…の光を、導光板３の表示面３ａに形成された線状の溝部３ｂからなる表示内容Ａに照射して拡散させ、導光板３の表示面３ａから外部に向けて各ＬＥＤ素子４…の光を出射するものである（図３参照）。
【００２２】
導光板３は、基台２の上面に形成された開口部２ａに対して垂直に差し込み固定している。また、開口部２ａの底面中央部には、該開口部２ａに差し込み固定される導光板３の一側端面と対向して、光源の一例であるＬＥＤ素子４を開口部２ａに沿って長さ方向に対して所定等間隔に隔てて多数配列している。
【００２３】
また、導光板３は、透光性を有するプラスチックで板状に形成され、所望する表示内容Ａを加工するのに適した大きさ及び形状、厚みに形成している。また、平面状に形成された導光板３の表示面３ａには、本発明の表示内容加工方法により表示内容Ａの一例である蝶模様を加工している。
【００２４】
また、ＬＥＤ素子４は、図示しない赤色に発光する発光体と、青色に発光する発光体と、緑色に発光する発光体とを一体的に組み合わせて構成している。また、ＬＥＤ素子４の点灯・点滅・消灯は、基台２に内蔵された図示しない制御部により制御される。
【００２５】
また、各ＬＥＤ素子４…を赤色、青色、緑色の単一色に発光するか、複数色に組み合わせて発光させる等してもよく、導光板３の表示面３ａに加工された表示内容Ａの一部又は全体を様々な色で発光表示することができる。また、各ＬＥＤ素子４…の点灯・点滅・消灯による視覚効果に加えて、多彩な色の変化による色彩効果も見る人に与えることができる。
【００２６】
なお、基台２の側面には、発光表示装置１に対して電力を供給するための電源コード５を接続している。また、基台２の前面には、発光表示装置１に通電するための電源スイッチ６を配設している。発光表示装置１は、電源コード５を介して電源から供給される電力により発光されるが、例えばバッテリーに蓄電された電力、太陽電池により発電された電力等により発光させてもよい。
【００２７】
前記表示内容Ａを加工する際に用いられるトムソン刃７は、蝶模様の表示内容Ａの輪郭線と対応する大きさ及び形状に形成され、所望する深さの線状の溝部３ｂを加工するのに適した硬さを有する金属板で形成している（図４参照）。また、トムソン刃７は、導光板３の表示面３ａに対して線状の溝部３ｂを加工するのに適した厚みに形成している。また、トムソン刃７の刃先は、線状の溝部３ｂを加工するのに適した刃先角度、刃先形状に形成している。
【００２８】
次に、導光板３の表示面３ａに対して蝶模様の表示内容Ａを加工する第１の加工方法を説明する。
【００２９】
先ず、図４に示すように、蝶模様の表示内容Ａと対応する大きさ及び形状に形成された１枚のトムソン刃７を、加工装置８の載置台９上面に載置された導光板３の表示面３ａと対向して、載置台９の上方に配置された可動台１０の下面に対して下向きに取り付ける。また、透光性を有する導光板３は、可動台１０の下方に配置された載置台９の上面に対して水平に載置する。
【００３０】
この後、図示しない昇降装置により可動台１０を下方に向けて垂直降下させ、可動台１０に取り付けられたトムソン刃７を、載置台９に載置された導光板３の表示面３ａに対して上方から垂直に押し付けるとともに、導光板３の表示面３ａに対して刃先を略直角（例えば９０度）に食い込ませる。
【００３１】
トムソン刃７を、導光板３の表示面３ａに描かれる表示内容Ａの輪郭線に沿って、該表示面３ａに対して所望する深さだけ略均等に食い込ませる。トムソン刃７を食い込ませた際に形成される線状の溝部３ｂからなる表示内容Ａを導光板３の表示面３ａに加工した後、可動台１０を上方に向けて垂直上昇させ、トムソン刃７を導光板３の表示面３ａから抜き取る。なお、溝部３ｂは、導光板３内部に入射された各ＬＥＤ素子４…の光が拡散される深さに形成している。
【００３２】
可動台１０を所定高さに上昇停止した後、表示内容Ａが加工された導光板３を載置台９から分離すれば、線状の溝部３ｂからなる蝶模様の表示内容Ａを導光板３の表示面３ａに対して加工する作業が完了する。
【００３３】
つまり、導光板３の表示面３ａに、蝶模様の表示内容Ａ全体と対応する大きさ及び形状に形成された１枚のトムソン刃７を食い込ませるので、線状の溝部３ｂからなる表示内容Ａを導光板３の表示面３ａに対して１回の加工作業で加工することができる。
【００３４】
なお、表示内容Ａを、例えばひらがな、カタカナ、漢字、英字、数字等の文字、或いは、模様、図柄、図形、絵等の単一の表示内容Ａに変更するか、複数の表示内容Ａを組み合わせたものに変更してもよい。また、表示内容Ａを、導光板３の表示面３ａ全体又は一部に形成してもよい。
【００３５】
次に、発光表示装置１の導光板３に描かれた表示内容Ａを発光させる場合、図１、図２に示すように、表示内容Ａが加工された導光板３を基台２の上面側開口部２ａに差し込み固定した後、電源スイッチ６をＯＮ操作して、基台２に内蔵された各ＬＥＤ素子４…を点灯・点滅すれば、基台２の上面側開口部２ａに差し込まれた導光板３の一側端面に対して各ＬＥＤ素子４…から投光される光が照射される。
【００３６】
導光板３の一側端面から該導光板３の内部に入射された光は、導光板３の表示面３ａに描かれた表示内容Ａの溝部３ｂにより拡散され、発光表示装置１の正面と対応する導光板３の表示面３ａから外部に向けて出射される（図３参照）。これにより、導光板３の表示面３ａに加工された線状の溝部３ｂ全体が発光するため、その線状の溝部３ｂで描かれた表示内容Ａを発光表示することができる。
【００３７】
以上のように、透光性を有する導光板３の表示面３ａに、表示内容Ａの輪郭線に沿う大きさ及び形状に形成されたトムソン刃７を食い込ませて、トムソン刃７を食い込ませた際に形成される線状の溝部３ｂからなる表示内容Ａを加工するので、トムソン刃７を所望する加工位置へ移動させる必要がなく、蝶模様等の所望する表示内容Ａの加工作業が簡単且つ容易に行える。また、表示内容Ａを加工する際に要する作業時間が短くて済み、加工作業の能率アップを図ることができる。また、加工時において、例えばバリ、切屑、切削粉等の廃棄物が発生しないので、表示内容Ａを綺麗に加工することができる。また、廃棄物の処理に要する費用負担が不要であるので、加工コストの低減を図ることができる。
【００３８】
また、導光板３の表示面３ａに対するトムソン刃７の食い込み角度を、例えば０度以上〜９０度以下の範囲に含まれる所望の角度に変更してもよい。つまり、トムソン刃７の食い込み角度を９０度に近くすれば、外部に向けて出射される光の拡散量が多くなる。また、トムソン刃７の食い込み角度を０度に近くすれば、外部に向けて出射される光の拡散量が少なくなるので、その輝度差により発光表示することができる。
【００３９】
図５は、表示内容Ａの輪郭線を複数に分割してなる複数枚の各トムソン刃７…を用いて、導光板３の表示面３ａに表示内容Ａを加工する第２の加工方法を示している。各トムソン刃７…は、表示内容Ａの輪郭線を該輪郭線に沿って複数に分割してなる各部と対応する大きさ及び形状に形成され、表示内容Ａの輪郭線を複数に分割してなる各部と対応する位置に配置している。
【００４０】
つまり、導光板３を載置台９上面に載置した後、複数枚の各トムソン刃７…が取り付けられた可動台１０を下方に向けて垂直降下させる。可動台１０に取り付けられた各トムソン刃７…を、表示内容Ａの輪郭線を複数に分割してなる各部と対応させて、載置台９に載置された導光板３の表示面３ａに対して上方から垂直に同時に押し付けて、各トムソン刃７…の刃先を導光板３の表示面３ａに対して所望する深さだけ略均等に食い込ませる。
【００４１】
各トムソン刃７…を食い込ませた際に形成される複数の各溝部３ｂ…を、表示内容Ａの輪郭線を複数に分割してなる各部と対応する箇所に形成し、所望する深さの線状の溝部３ｂで描かれた表示内容Ａを導光板３の表示面３ａに加工した後、可動台１０を上方に向けて垂直上昇させ、トムソン刃７を導光板３の表示面３ａから抜き取る。可動台１０を所定高さに上昇停止した後、表示内容Ａが加工された導光板３を載置台９から分離すれば、複数の各溝部３ｂ…を、導光板３の表示面３ａに沿って連なる状態に配列してなる蝶模様の表示内容Ａを加工する作業が完了する。これにより、前記実施例と略同等の作用及び効果を奏することができる。
【００４２】
図６は、表示内容Ａの輪郭線を３分割してなる各部と対応する大きさ及び形状に形成された３枚の各トムソン刃７…を用いて、導光板３の表示面３ａに表示内容Ａを加工する第３の加工方法を示している。
【００４３】
つまり、導光板３の表示面３ａに、表示内容Ａの輪郭線を３分割してなる各部と対応する３枚の各トムソン刃７…を、導光板３の表示面３ａに描かれる表示内容Ａの輪郭線に沿って順に食い込ませる。各トムソン刃７…を食い込ませた際に形成される複数本の各溝部３ｂ…を、導光板３の表示面３ａに沿って連なる状態に配列してなる蝶模様の表示内容Ａを加工するので、従来例のように加工刃や切削バイト等を移動させる必要がなく、所望する表示内容の加工作業が簡単且つ容易に行える。これにより、前記実施例と略同等の作用及び効果を奏することができる。
【００４４】
図７は、食い込み量の深い第１刃部７ａと、食い込み量の浅い第２刃部７ｂとを複数組み合わせてなる１枚のトムソン刃７を用いて、導光板３の表示面３ａに表示内容Ａを加工する第４の加工方法を示している。トムソン刃７の刃先には、導光板３の表示面３ａに対して深い溝部３ｃを形成するための第１刃部７ａと、浅い溝部３ｄを形成するための第２刃部７ｂとを刃先に沿って複数組み合わせて形成している。
【００４５】
つまり、導光板３の表示面３ａに、第１刃部７ａと第２刃部７ｂとの複数が組み合わせて形成された１枚のトムソン刃７を食い込ませて、第１刃部７ａにより形成される深い溝部３ｃと、第２刃部７ｂにより形成される浅い溝部３ｄとを、導光板３の表示面３ａに沿って連なる状態に複数組み合わせて配列してなる蝶模様の表示内容Ａを加工するので、前記実施例と略同等の作用及び効果を奏することができる。
【００４６】
また、表示内容Ａの溝部３ｂが深い場合、表面積が大きく、外部に向けて出射される光の拡散量が多いので、浅い溝部３ｄに比べて輝度が高く、明るく見える。また、表示内容Ａの溝部３ｂが浅い場合、表面積が小さく、外部に向けて出射される光の拡散量が少ないので、深い溝部３ｃに比べて輝度が低く、暗く見える。すなわち、表示内容Ａを、深い溝部３ｃと浅い溝部３ｄとの複数を組み合わせて構成することにより、表示内容Ａに輝度が明るい部分と、輝度が暗い部分とが発生し、その輝度差により表示内容Ａを発光表示することができる。
【００４７】
図８は、食い込み量の深い第１のトムソン刃７Ａと、食い込み量の浅い第２のトムソン刃７Ｂとを複数組み合わせてなるトムソン刃７を用いて、導光板３の表示面３ａに表示内容Ａを加工する第５の加工方法を示している。トムソン刃７は、導光板３の表示面３ａに対して深い溝部３ｃを形成するための第１のトムソン刃７Ａと、浅い溝部３ｄを形成するための第２のトムソン刃７Ｂとを刃全長に対して複数組み合わせて配置するとともに、導光板３の表示面３ａに描かれる表示内容Ａの輪郭線に沿って配列している。
【００４８】
つまり、導光板３の表示面３ａに、トムソン刃７を構成する第１のトムソン刃７Ａ…と第２のトムソン刃７Ｂ…とを複数組み合わせて、導光板３の表示面３ａに描かれる表示内容Ａの輪郭線に沿って食い込ませる。第１のトムソン刃７Ａにより形成される深い溝部３ｃと、第２のトムソン刃７Ｂにより形成される浅い溝部３ｄとを、導光板３の表示面３ａに沿って連なる状態に複数組み合わせて配列してなる超模様の表示内容Ａを加工するので、前記実施例と略同等の作用及び効果を奏することができる。
【００４９】
また、表示内容Ａを、深い溝部３ｃと浅い溝部３ｄとの複数を組み合わせて構成することにより、表示内容Ａに輝度が明るい部分と、輝度が暗い部分とが発生し、その輝度差により表示内容Ａを発光表示することができるので、第４の加工方法と略同等の作用及び効果を奏することができる。
【００５０】
本発明は、前記実施例の構成のみに限定されるものではなく、請求項に示される技術思想に基づいて応用することができ、多くの実施の形態を得ることができる。他の加工方法として、例えばトムソン刃７，７Ａ，７Ｂを微細に超音波振動させるか、導光板３の表示面３ａが溶解する温度に加熱する等してもよい。
【図面の簡単な説明】
【００５１】
【図１】第１の加工方法により表示内容を加工した発光表示装置を示す斜視図。
【図２】図１の発光表示装置の内部構造を示す縦断側面図。
【図３】導光板に加工された溝部による光の拡散状態を示す拡大断面図。
【図４】１枚のトムソン刃による第１の加工方法を示す縦断側面図。
【図５】複数枚のトムソン刃による第２の加工方法を示す縦断側面図。
【図６】表示内容の一部と対応するトムソン刃による第３の加工方法を示す縦断側面図。
【図７】第１及び第２刃部を形成したトムソン刃による第４の加工方法を示す縦断側面図。
【図８】第１及び第２のトムソン刃による第５の加工方法を示す縦断側面図。
【符号の説明】
【００５２】
Ａ…表示内容
１…発光表示装置
２…基台
３…導光板
３ａ…表示面
３ｂ，３ｃ，３ｄ…溝部
４…ＬＥＤ素子
５…電源コード
６…電源スイッチ
７…トムソン刃
７ａ…第１刃部
７ｂ…第２刃部
７Ａ…第１のトムソン刃
７Ｂ…第２のトムソン刃
８…加工装置
９…載置台
１０…可動台
【図１】
2009056521.tif 000003
【図２】
2009056521.tif 000004
【図３】
2009056521.tif 000005
【図４】
2009056521.tif 000006
【図５】
2009056521.tif 000007
【図６】
2009056521.tif 000008
【図７】
2009056521.tif 000009
【図８】
2009056521.tif 000010